(57)【要約】【課題】本発明は、照明範囲を変更することができる発光ダイオード照明装置を提供する。【解決手段】本発明に係る発光ダイオード照明装置は、第一ハウジング及び該第一ハウジングの内部に収容される第一ライトストリップと、第一光出射面を持つメインランプと、第二ハウジング及び該第二ハウジングの内部に収容される第一ライトストリップと、第二光出射面を持つアシスタントランプと、を備え、前記アシスタントランプは、前記メインランプに枢着され、前記メインランプと前記アシスタントランプとの相対位置を調整することにより、前記第一光出射面と前記第二光出射面との間の角度を変更して照明範囲を変更する。【選択図】図５
2013127965.tif 000002
【特許請求の範囲】
【請求項１】
第一ハウジング及び該第一ハウジングの内部に収容された第一ライトストリップと、第一光出射面を持つメインランプと、第二ハウジング及び該第二ハウジングの内部に収容された第一ライトストリップと、第二光出射面を持つアシスタントランプと、を備えた発光ダイオード照明装置において、前記アシスタントランプは、前記メインランプに枢着され、前記メインランプと前記アシスタントランプとの相対位置を調整することにより、前記第一光出射面と前記第二光出射面との間の角度を変更して照明範囲を変更することを特徴とする発光ダイオード照明装置。
【請求項２】
前記メインランプの第一ハウジングの側面には枢着部が設けられ、該枢着部の内部には、枢着部の両端を貫通する貫通孔が設けられ、前記アシスタントランプの第二ハウジングの側面には枢軸部が設けられ、該枢軸部は枢軸を備え、前記アシスタントランプは、前記枢軸部の枢軸が前記メインランプの枢着部の貫通孔に挿設されることによって、前記メインランプに枢着されることを特徴とする請求項１に記載の発光ダイオード照明装置。
【請求項３】
前記枢着部の貫通孔の内表面には、等間隔に複数の凹部が形成され、前記枢軸部の枢軸の表面には、該凹部と対応する複数の突起が形成され、前記発光ダイオード照明装置は、前記凹部と前記突起との係合によって前記アシスタントランプの回転角度を制御することを特徴とする請求項２に記載の発光ダイオード照明装置。
【発明の詳細な説明】
【技術分野】
【０００１】
本発明は、照明装置に関するものであり、特に発光ダイオード照明装置に関するものである。
【背景技術】
【０００２】
発光ダイオード（ＬＥＤ：Ｌｉｇｈｔ Ｅｍｉｔｔｉｎｇ Ｄｉｏｄｅ）は、電流を特定の波長の光に変換できる半導体素子からできており、高輝度、低電圧、低消費電力、長寿命である等の利点を有することから、従来の蛍光灯或いは白熱灯に代わって、ランプの光源として、現在広く利用されている。
【０００３】
通常、様々な空間における照明装置の発光効率に対する需要は異なる。一般的には、狭い照明空間では、発光効率が低い照明装置で良いが、広い空間では発光効率が高い照明装置を使用する必要がある。しかし、従来の発光ダイオード照明装置は、光源が固定されているため、異なる空間の照明要求に基づいて、照明条件を調整することはできない。
【発明の概要】
【発明が解決しようとする課題】
【０００４】
前記課題を解決するために、本発明は、照明範囲を変更することができる発光ダイオード照明装置を提供することを目的とする。
【課題を解決するための手段】
【０００５】
本発明に係る発光ダイオード照明装置は、第一ハウジング及び該第一ハウジングの内部に収容される第一ライトストリップと、第一光出射面を持つメインランプと、第二ハウジング及び該第二ハウジングの内部に収容される第一ライトストリップと、第二光出射面を持つアシスタントランプと、を備え、アシスタントランプは、メインランプに枢着され、メインランプとアシスタントランプとの相対位置を調整することにより、第一光出射面と第二光出射面との間の角度を変更して照明範囲を変更する。
【発明の効果】
【０００６】
従来の技術と比べて、本発明に係る本発明に係る発光ダイオード照明装置は、メインランプとアシスタントランプとの相対位置を調整することにより、第一光出射面と第二光出射面との間の角度を変更することができる。これにより、発光ダイオード照明装置の全体の照明範囲を調整することができるため、異なる空間の照明要求を満たすことができる。
【図面の簡単な説明】
【０００７】
【図１】本発明の第一実施形態に係る発光ダイオード照明装置の立体図である。
【図２】図１に示す発光ダイオード照明装置を反転させた立体図である。
【図３】図１に示す発光ダイオード照明装置の分解図である。
【図４】図１に示す発光ダイオード照明装置を反転させた分解図である。
【図５】図１に示す発光ダイオード照明装置の第一アシスタントランプ及び第二アシスタントランプが開いた状態を示す図である。
【図６】本発明の第二実施形態に係る発光ダイオード照明装置の枢着部及び枢軸部が係合した状態の断面図である。
【発明を実施するための形態】
【０００８】
以下、図面を参照して、本発明の実施形態について説明する。
【０００９】
図１及び図２を参照すると、本発明の第一実施形態に係る発光ダイオード照明装置１０は帯状を呈し、メインランプ２０及びアシスタントランプ３０を備える。本実施形態において、アシスタントランプ３０は、第一アシスタントランプ４０及び第二アシスタントランプ５０を備える。メインランプ２０は、光出射面及び該光出射面に対向する背面を備え、第一アシスタントランプ４０及び第二アシスタントランプ５０は、このメインランプ２０の背面に貼設される。
【００１０】
図３及び図４を参照すると、メインランプ２０は、帯状の第一ハウジング２１及び該第一ハウジング２１に収容される第一ライトストリップ２２を備える。第一ハウジング２１は、互いに対向して位置する第一側面２０１及び第二側面２０２と、第一側面２０１及び第二側面２０２をそれぞれ連接し且つ互いに対向して位置する第一端面２０３及び第二端面２０４と、第一側面２０１、第二側面２０２、第一端面２０３及び第二端面２０４に連接される上表面２０５及び該上表面２０５に対向して設けられる下表面２０６と、を備える。第一側面２０１は第二側面２０２に平行であり、第一端面２０３は第一側面２０１及び第二側面２０２に垂直であり、第二端面２０４は第一端面２０３から離れる方向へ突出して半円形を呈する。第一側面２０１及び第二側面２０２上における第一端面２０３及び第二端面２０４に近い箇所には、２つの枢着部２４が互いに間隔をあけてそれぞれ設けられる。枢着部２４は長方形を呈し、その内部には、枢着部２４の両端を貫通する貫通孔２４０がそれぞれ設けられる。第一ハウジング２１の上表面２０５はメインランプ２０の光出射面であり、第一ハウジング２１の下表面２０６はメインランプ２０の背面である。第一ハウジング２１の上表面２０５には、第一ハウジング２１の長手方向に沿って長方形の光透過窓２１０が形成される。第一ライトストリップ２２の光出射面側を向いている表面には、複数のＬＥＤチップ２３が設置され、また、該複数のＬＥＤチップ２３は、上表面２０５の光透過窓２１０を介して露出される。
【００１１】
前記第一アシスタントランプ４０は、帯状の第二ハウジング４１及び該第二ハウジング４１に収容される第二ライトストリップ４２を備える。該第二ハウジング４１は、互いに対向して位置する第一側面４０１及び第二側面４０２と、第一側面４０１及び第二側面４０２をそれぞれ連接し且つ互いに対向して位置する第一端面４０３及び第二端面４０４と、第一側面４０１、第二側面４０２、第一端面４０３及び第二端面４０４に連接される上表面４０５及び該上表面４０５に対向して設けられる下表面４０６と、を備える。第一側面４０１は第二側面４０２に平行であり且つその長さは第二側面４０２の長さより長く、第一側面４０１から第二側面４０２の距離は、メインランプ２０の第一側面２０１から第二側面２０２までの距離の半分に等しい。また、第一側面４０１の長さとメインランプ２０の第一ハウジング２１の長さとは等しい。第一端面４０３は第一側面４０１及び第二側面４０２に垂直であり、第二端面４０４は円弧状を呈し且つ第一側面４０１及び第二側面４０２の端部を連接する。第二側面４０２における第一端面４０３及び第二端面４０４に近い箇所には、メインランプ２０の第二側面２０２の２つの枢着部２４と対応する２つの枢軸部４４がそれぞれ設けられる。該枢軸部４４は塊状を呈し且つ該枢軸部４４に穿設される枢軸４４０を備える。第二ハウジング４１の下表面４０６には、第二ハウジング４１の長手方向に沿って矩形の光透過窓４１０が形成される。第二ライトストリップ４２の該光透過窓４１０側を向いている表面には複数のＬＥＤチップ４３が設置され、また、該複数のＬＥＤチップ４３は、下表面４０６の光透過窓４１０を介して露出される。
【００１２】
前記第二アシスタントランプ５０は、帯状の第三ハウジング５１及び該第三ハウジング５１に収容される第三ライトストリップ５２を備える。第三ハウジング５１は、互いに対向して位置する第一側面５０１及び第二側面５０２と、第一側面５０１及び第二側面５０２にそれぞれ連接され且つ互いに対向して位置する第一端面５０３及び第二端面５０４と、第一側面５０１、第二側面５０２、第一端面５０３及び第二端面５０４を連接する上表面５０５及び該上表面５０５に対向して設けられる下表面５０６と、を備える。第一側面５０１は第二側面５０２に平行であり且つその長さは第二側面５０２の長さより短い。第一側面５０１から第二側面５０２までの距離は、メインランプ２０の第一側面２０１から第二側面２０２までの距離の半分に等しい。また、第二側面５０２の長さとメインランプ２０の第一ハウジング２１の長さとは等しい。第一端面５０３は第一側面５０１及び第二側面５０２に垂直であり、第二端面５０４は円弧状を呈し且つ第一側面５０１及び第二側面５０２の端部を連接する。第一側面５０１における第一端面５０３及び第二端面５０４に近い箇所には、メインランプ２０の第一側面２０１の２つの枢着部２４に対応する２つの枢軸部５４がそれぞれ設けられる。枢軸部５４と第一アシスタントランプ４０の枢軸部４４とは同じ構造である。第三ハウジング５１の下表面５０６には、第三ハウジング５１の長手方向に沿って矩形の光透過窓５１０が形成される。第三ライトストリップ５２の該光透過窓５１０側を向いている表面には複数のＬＥＤチップ５３が設置され、また、該複数のＬＥＤチップ５３は、下表面５０６の光透過窓５１０を介して露出される。
【００１３】
図５を併せて参照すると、第一アシスタントランプ４０は、その２つの枢軸部４４の枢軸４４０が、メインランプ２０の２つの枢着部２４の貫通孔２４０にそれぞれ挿設されることによって、メインランプ２０の第二側面２０２に枢着される。第二アシスタントランプ５０は、その２つの枢軸部５４の枢軸５４０が、メインランプ２０の２つの枢着部２４の貫通孔２４０にそれぞれ挿設されることによって、メインランプ２０の第一側面２０１に枢着される。メインランプ２０、第一アシスタントランプ４０及び第二アシスタントランプ５０は、それぞれ個別に制御することができる。
【００１４】
狭い空間で使用する場合或いは発光効率が低い照明を必要とする場合、第一アシスタントランプ４０及び第二アシスタントランプ５０を内側（つまり、メインランプ２０の下表面２０６方向）に畳んだ状態にする（図１を参照）。具体的には、第一アシスタントランプ４０及び第二アシスタントランプ５０の光出射面を、メインランプ２０の下表面２０６まで回転させて、第一アシスタントランプ４０及び第二アシスタントランプ５０の光出射面とメインランプ２０の光出射面とを互いに背面させる。この際、第二ハウジング４１及び第三ハウジング５１の上表面４０５、５０５と第一ハウジング２１の下表面２０６とは互いに接触する。この状態の発光ダイオード照明装置１０は、メインランプ２０のみが発光し、第一アシスタントランプ４０及び第二アシスタントランプ５０は発光しない。従って、狭い空間で使用する場合或いは発光効率が低い照明を必要とする場合に適する。
【００１５】
広い空間で使用する場合或いは発光効率が高い照明を必要とする場合、第一アシスタントランプ４０及び第二アシスタントランプ５０を、上述した内側に畳んだ状態から外側へ開く（図５を参照）。具体的には、第一アシスタントランプ４０及び第二アシスタントランプ５０の光出射面を、メインランプ２０の光出射面と同じ側に位置するように回転させる。この際、第二ハウジング４１及び第三ハウジング５１の下表面４０６、５０６と第一ハウジング２１の上表面２０５とは、互いに平行であり且つ同じ平面上に位置する。この状態の発光ダイオード照明装置１０は、メインランプ２０、第一アシスタントランプ４０及び第二アシスタントランプ５０が全て発光する。従って、広い空間で使用する場合或いは発光効率が高い照明を必要とする場合に適する。
【００１６】
以上により、本実施形態の発光ダイオード照明装置１０は、光源を調整することによって異なる空間の照明要求を満たすことができる。
【００１７】
図６を参照すると、本発明の第二実施形態に係る発光ダイオード照明装置１０において、枢着部２４の貫通孔２４０の内表面には、複数の凹部２４１が等間隔に形成され、枢軸部４４の枢軸４４０の表面には、該凹部２４１と対応する複数の突起４４１が形成される。本実施形態において、凹部２４１は半円形を呈し、突起４４１はその半径が凹部２４１の半径より僅かに小さい半円形を呈する。本実施形態の発光ダイオード照明装置１０は、凹部２４１と突起４４１との係合によってアシスタントランプ３０の回転角度を制御することができる。従って、メインランプ２０及びアシスタントランプ３０の光出射面の角度を多角度に変化させることができる。
【００１８】
本発明の第三実施形態に係る発光ダイオード照明装置１０において、枢着部２４の貫通孔２４０と枢軸部４４の枢軸４４０との間には、ゴムなどの材料からなるブッシュが設けられ、該ブッシュは、貫通孔２４０と枢軸４４０とがスリップすることを防止することができる。従って、メインランプ２０及びアシスタントランプ３０を有効的に固定させ、メインランプ２０及びアシスタントランプ３０の光出射面の角度を多角度に変化させることができる。
【００１９】
本発明の第四実施形態に係る発光ダイオード照明装置１０において、メインランプ２０及びアシスタントランプ３０は、異なる色温度の光をそれぞれ出射することができる。アシスタントランプ３０の光出射面の角度を調整することによって、発光ダイオード照明装置１０の照明角度を変更させると共に、発光ダイオード照明装置１０が出射した全体の光の色温度をも変更することができる。
【符号の説明】
【００２０】
１０  発光ダイオード照明装置
２０  メインランプ
２０１、４０１、５０１  第一側面
２０２、４０２、５０２  第二側面
２０３、４０３、５０３  第一端面
２０４、４０４、５０４  第二端面
２０５、４０５、５０５  上表面
２０６、４０６、５０６  下表面
２１  第一ハウジング
２１０、４１０、５１０  光透過窓
２２  第一ライトストリップ
２３、４３、５３  ＬＥＤチップ
２４  枢着部
２４０  貫通孔
２４１  凹部
３０  アシスタントランプ
４０  第一アシスタントランプ
４１  第二ハウジング
４２  第二ライトストリップ
４４、５４  枢軸部
４４０、５４０  枢軸
４４１  突起
５０  第二アシスタントランプ
５１  第三ハウジング
５２  第三ライトストリップ
【図１】
2013127965.tif 000003
【図２】
2013127965.tif 000004
【図３】
2013127965.tif 000005
【図４】
2013127965.tif 000006
【図５】
2013127965.tif 000007
【図６】
2013127965.tif 000008